(57)【要約】      （修正有）【課題】プラスチックと金属を組み合わせて、環境に優しく、規格の同一性を備え、優れた構造強度を有し、メンテナンスが簡易であるパレットを提供する。【解決手段】パレットは、二枚のデッキボード１、複数の骨組み３を備える。デッキボードは、プラスチックであり、突き合せて設置され、外部表面、内部表面を有する。複数の補強材２は、金属材質であり、短冊状であり、デッキボードの接合溝１４内に組み入れて設置されている。複数の骨組みは、強度の優れた金属材質である。骨組みの端部はデッキボードの組み付け溝１５の位置に設置されている。ねじ込みボルト５は、デッキボードの外部表面の接合孔１６を貫通し、骨組みを貫通し骨組みと螺合して固定を行う。組み付け溝には、ガード、傾斜ブロック部、詰め物が設けられている。【選択図】図１
0003202280.tif 000002
【実用新案登録請求の範囲】
【請求項１】
プラスチック材質であり、板状であり、且つ突き合せて設置し、外部表面および内部表面を有し、内部表面には横向きに平行に配列した複数の接合溝及び縦方向に平行に配列した複数の組み付け溝が形成されており、組み付け溝の位置に対応して前後の表面を貫通する複数の接合孔が形成されている二枚のデッキボードと、
金属材質であり、短冊状であり、デッキボードの接合溝内に組み入れて設置する複数の補強材と、
強度の優れた金属材質であり、端部がデッキボードの組み付け溝の位置に設置されている複数の骨組みと、を備え、
デッキボードは、外部表面の接合孔を貫通するタッピングボルトが骨組みを通し骨組みと螺合することで骨組みに固定されていることを特徴とするパレット。
【請求項２】
デッキボードは、内部表面の組み付け溝に対応する二端に向かい合うようガードが設けられており、側面部位に飛び出した傾斜ブロック部が設けられており、
傾斜ブロック部の片側は力を受けた時に骨組みの片側と当接可能な狭持面を有することを特徴とする請求項１に記載のパレット。
【請求項３】
デッキボードは、前後の表面を貫通する複数の透水孔を有し、前表面の内凹みに排水溝が形成されており、排水溝が接合孔または透水孔と連通することを特徴とする請求項１に記載のパレット。
【請求項４】
補強材は方管であり、
デッキボードは、接合溝と対応する位置に穿孔が形成されており、接合溝の両端に方管の二端と嵌まるツメが設けられており、ボルトが穿孔に貫通することで補強材及び骨組みを固定設置することを特徴とする請求項１に記載のパレット。
【請求項５】
補強材はデッキボードを包覆していることを特徴とする請求項１に記載のパレット。
【請求項６】
骨組みの材料はアルミ合金またはＣ型鋼であることを特徴とする請求項１に記載のパレット。
【請求項７】
骨組みは、アルミ合金の中空体であり、二つの向かい合った側板部を有し、二つの側板部の上下にそれぞれ上板部および下板部が設けられており、上板部および下板部の内壁にデッキボードの接合孔の位置に対応した二つの平行な凸片が設けられており、二枚の向かい合ったデッキボードの間に設置可能であり、上端および下端が二枚のデッキボードの組み付け溝内にそれぞれ嵌め込まれており、
ねじ込みボルトは、デッキボードの外部表面の接合孔から貫通し、骨組みの上板部および下板部、ならびに、骨組みの二つの平行な凸片を貫通し螺合することを特徴とする請求項１に記載のパレット。
【請求項８】
デッキボードの組み付け溝に詰め物が設けられており、
骨組みは、上板部および下板部に、詰め物の位置に対応する嵌槽が設けられており、嵌槽内にＶ型凹溝が設けられていることを特徴とする請求項７に記載のパレット。
【請求項９】
幾つかの滑り止めをさらに備え、
デッキボードは、接合孔の上方に凹部が設けられており、
滑り止めは、デッキボードの接合孔の凹部部分に設置されており、上端が接合孔の上方に飛び出し可能であり、中央がボルト頭部を収容可能である凹溝を有し、凹溝の底面の中央に透孔が形成されており、透孔がデッキボードの接合孔の位置に対応しボルトの頭部の直径より小さな直径を有し、ボルトが透孔及び接合孔を貫通し滑り止めと骨組みとを固定することを特徴とする請求項１に記載のパレット。
【請求項１０】
デッキボードは、接合孔の凹部底面に排水孔が形成されており、
滑り止めは、凹溝底面に透水孔が形成されていることを特徴とする請求項９に記載のパレット。
【考案の詳細な説明】
【技術分野】
【０００１】
本考案は、パレットに関する。
【背景技術】
【０００２】
パレットはよく木材、紙材、プラスチック一体成型或いは金属によって製造されることが知られているが、木材、紙材で製造するパレットは森林を伐採して得た木材資源を使用しなければならず環境破壊になり、さらに木製或いは紙製パレットは一定期間使用すると湿度で腐敗し易くなり寿命が短い。また木製パレットは通常釘で組んでいるため、パレットの一部が破損した場合に交換しにくく、パレット全てを廃棄しなければならないので資源の浪費と損失になる外、紙製パレットは高湿度の条件下ではその強度が大幅に低下し、安定して物を積載することができなくなってしまう。
【０００３】
プラスチック一体成型パレットは必ずパレットに対応したデッキ、厚みの金型を設けなければならないが、金型のコストは高く、且つプラスチックパレットに重量がある物を積載した際に変形し易く、元に戻りにくい。また金属パレットは複数の金属の支持用材及び複数の金属の骨組みを溶接して組み上げるが、溶接方式の品質は同一性に欠け、且つ一部が変形した際に部分的にパーツを交換できず、全てを金属で製造したパレットは全体重量が重くなってしまうという欠点があった。
【考案の概要】
【考案が解決しようとする課題】
【０００４】
本考案は、プラスチックと金属を組み合わせて、環境に優しく、規格の同一性を備え、優れた構造強度を有し、メンテナンスが簡易であるパレットを提供することを目的としている。
【課題を解決するための手段】
【０００５】
本考案は、二枚のデッキボード、複数の補強材、複数の骨組みを含み、その二枚のデッキボードはプラスチックで一体成型したシート構造であり、且つ突き合せて設置し、外部表面、内部表面を備え、内部表面には横向きに平行に配列した複数の接合溝及び縦方向に平行に配列した複数の組み付け溝を設け、その接合溝の二端にはツメを設け、またその内部表面には組み付け溝に対応し、二端に向かい合うようガードを設け、且つ側面部位は傾斜ブロック部が飛出し、その傾斜ブロック部の片側は狭持面を備え、また組み付け溝には目板を設け、また組み付け溝の位置に対応して前後の表面を貫通させた複数の接合孔を設け、その接合孔の上方は直径の大きな凹部を備え、且つ凹部の底面に排水孔を設け、またデッキボードには前後の表面を貫通させた複数の透水孔を設け、且つ前表面の内凹みには排水溝を設ける。また接合溝の位置に対応した穿孔を設ける。
【０００６】
補強材は金属材質で短冊構造に製造し、且つデッキボードの接合溝内に組み入れて設置でき、且つ補強材は方管でよく、且つ接合溝に設置する時に二端が先にツメに嵌って位置を決め、さらにねじ込みボルトをデッキボードの穿孔に通して補強材及び骨組みと組み合わせる。
【０００７】
骨組みは強度の優れた金属材質で製造し、その材料はアルミ合金、Ｃ型鋼またはその他強度が適した材料でよく、その端部はデッキボードの組み付け溝の位置に設置でき、また骨組みは中空体でよく、二つの向かい合った側板部を備え、二つの側板部の上下にはそれぞれ上・下板部を備え、また上・下板部の内壁にはデッキボードの接合孔の位置に対応した二つの平行な凸片を設け、また上・下板部の外側には組み付け溝の目板の位置に対応した嵌槽を設け、また嵌槽内には組立の位置合わせ及び排水ができるＶ型凹溝を設け、且つ骨組みが二枚の向かい合ったデッキボードの間に設置できるようにし、且つ上・下端は二枚のデッキボードの組み付け溝内にそれぞれ嵌め込み、且つ嵌槽により目板と接合して位置を決めることができ、且つ端部はデッキボードのガードにより当接し、またねじ込みボルトをデッキボードの外部表面の接合孔から通し、且つ骨組みの上・下板部及び二つの平行な凸片を通して螺合させ、且つその凸片がボルトと骨組みの螺合面積を増やして組み合う強度を高めることができる。
【０００８】
本考案は複数の滑り止めを設けることができ、且つその滑り止めはデッキボードの接合孔の凹部部分に設け、且つ上端は接合孔の上方に飛び出すことができ、またその滑り止めの中央はボルト頭部を収容できる凹溝を備え、且つ凹溝の底面の中央はデッキボードの接合孔の位置に対応した直径がボルトの頭部より小さな透孔を備え、また凹溝の底面には透水孔を設け、且つデッキボードの適当な接合孔部分に滑り止めを設けることでパレットの着地及び物品の積載に安定性を持たせ、且つ凹溝内に水が溜まった際は透水孔及び排水孔により排出することができる。
【０００９】
本考案は金型のコストを減らすことができ、且つ大きな面積の成型が容易にでき、また本考案はデッキボード間が接合硬度の優れた金属骨組みであり、パレットの支持強度を高め、且つデッキボードに物品を積載する時、二つの傾斜ブロック部が力を受けて狭持面に骨組みと狭持して当接するようにさせることでパレットの支持強度を高めてより優れたものにできる。
【００１０】
本考案のデッキボード、骨組みの製造は木材または紙材に拠らないので、森林資源を損失することなく、且つ湿度による腐食の心配もなく、優れた使用寿命を持つことができ、また本考案の組立全体は同一性ある品質の量産及びメンテナンスの簡易化が得られる。
【図面の簡単な説明】
【００１１】
【図１】本考案の一実施形態によるパレットを示す分解図である。
【図２】本考案の一実施形態によるパレットを示す要部拡大図である。
【図３】本考案の一実施形態によるパレットを示す斜視図である。
【図４】本考案の一実施形態によるパレットを示す要部断面図である。
【図５】本考案の一実施形態によるパレットを示す要部断面図である。
【図６】本考案の一実施形態によるパレットが力を受ける状態を示す断面図である。
【考案を実施するための形態】
【００１２】
（一実施形態）
図１〜６を参考にすると、その中の図１はタッピングボルトの一部分のみ示しており、本考案は二枚のデッキボード１、複数の補強材２、複数の骨組み３、複数の滑り止め４で構成して成っており、その二枚のデッキボード１はプラスチックで一体成型したシート構造であり、且つ突き合せて設置し、外部表面１１、内部表面１２を備え、内部表面１２には縦向き、横向きの複数の補強リブ１３を設け、また横向きに平行に配列した複数の接合溝１４及び縦方向に平行に配列した複数の組み付け溝１５を設け、その接合溝１４の二端にはツメ１４１を設け（図４のように）、その内部表面１２には組み付け溝１５に対応し、二端に向かい合うようガード１５１を設け、且つ側面部位は傾斜ブロック部１５２が飛出し、その傾斜ブロック部１５２の片側は狭持面１５３を備え、また組み付け溝１５には目板１５４を設け、また組み付け溝１５の位置に対応して前後の表面１１、１２を貫通させた複数の接合孔１６を設け、その接合孔１６の上方は凹部１６１を備え、且つ凹部１６１の底面に排水孔１６２を設け、またデッキボード１には外部表面１１、内部表面１２を貫通させた複数の透水孔１７を設け、且つ外部表面１１の内凹みには接合孔１６及び透水孔１７と連通する排水溝１８を設け、また接合溝１４の位置に対応した穿孔１９を設ける。
【００１３】
補強材２は金属材質で短冊構造に製造し、且つデッキボード１の接合溝１４内に組み入れて設置でき、且つ補強材２は方管でよく、且つ接合溝１４に設置する時に二端が先にツメ１４１に嵌って位置を決め、さらにタッピングボルト６を穿孔１９に通して補強材２及び骨組み３と固定し、且つ同時にデッキボード１、補強材２、骨組み３を組立てさせることで優れた組立て強度を持たせ、その補強材２の数量はデッキボード１の積載重量の必要に応じて設置することができる。
【００１４】
骨組み３は強度の優れた金属材質で製造し、その材料はアルミ合金、Ｃ型鋼またはその他強度が適した材料でよく、その骨組み３の端部はデッキボード１の組み付け溝１５の位置に設置でき、また骨組み３は中空体で二つの向かい合った側板部３１を備え、二つの側板部３１の上下にはそれぞれ上・下板部３２、３３を備え、また上・下板部３２、３３の内壁にはデッキボード１の接合孔１６の位置に対応した二つの平行な凸片３２１、３３１を設け、また上・下板部３２、３３の外側には目板１５４の位置に対応した嵌槽３２２、３３２を設け、且つ嵌槽３２２、３３２内には組立の位置合わせ及び排水ができるＶ型の凹溝３２３、３３３をそれぞれ設け、且つ骨組み３が二枚の向かい合ったデッキボード１の間に設置できるようにし、且つ嵌槽３２２、３３２によって目板１５４と接合して位置を決めることができ、且つ上・下端部は二枚のデッキボード１の組み付け溝１５内にそれぞれ嵌め込み、且つ端部はデッキボード１のガード１５１により当接し、またボルト５をデッキボード１の外部表面１１の接合孔１６から通し、且つ骨組み３の上・下板部３２、３３の凹溝３２３、３３３部分及び二つの平行な凸片３２１、３３１の間を通して螺合させ、且つその凸片３２１、３３１がボルト５と骨組み３の螺合面積を増やして組み合う強度を高めることができ、本実施形態では一部の接合孔１６の部分は直接ボルト５で固定し、一部の接合孔１６の部分には滑り止め４を設置している。
【００１５】
滑り止め４はデッキボード１の接合孔１６の凹部１６１部分に設け、且つ上端は接合孔１６の上方に飛び出すことができ、またその滑り止め４の中央はボルト５の頭部５１を収容できる凹部４１を備え、且つ凹部４１の中央はデッキボード１の接合孔１６の位置に対応した直径がボルト５の頭部５１より小さな透孔４２を備え、また凹部４１の底面には透水孔４３を設け、且つデッキボード１の適当な接合孔１６部分に滑り止め４を設けることでパレットの着地及び物品の積載に安定性を持たせることができる。
【００１６】
本考案のデッキボード１は板片形体であり、厚みが一般のプラスチックエフ板より小さく、金型のコストを減らすことができ、且つ大きな面積の成型が容易にでき、また本考案はデッキボード１間が接合硬度の優れた金属の骨組み３であり、パレットの支持強度を高めることができ、且つ図６のように、デッキボード１に重い物（図示しない）を積載する時、傾斜ブロック部１５２が力を受けて狭持面１５３に骨組み３と狭持して当接させることができ、且つパレットの支持強度を高めてより優れたものにでき、また本考案のデッキボード１は積載重量の必要に応じて補強材２設置することができ、デッキボード１自体の支持強度を高めることができる。
【００１７】
本考案では物体を積載する時（図示しない）そのデッキボード１の外部表面１１の排水溝１８及び滑り止め４が滑り止め作用を提供でき、且つ排水溝１８及び透水孔１７が排水を提供でき、且つ排水溝１８に導き入れた水が接合孔１６及び滑り止め４に流れる時、排水孔１６２及び透水孔４３によりデッキボード１の下方へ素早く排出することにより、デッキボード１の外部表面１１に水がたまるのを防ぐことができ、本考案のデッキボード１、骨組み３の製造は木材または紙材に拠らないので、森林資源を損失することなく、且つ湿度による腐食の心配もなく、優れた使用寿命を持つことができる。
【００１８】
この他、本考案の骨組み３はデッキボード１の組み付け溝１５に設け、目板１５４により位置を固定した後、再びボルト５で螺合し、また補強材２はツメ１４１で位置を決めた後に再び固定接続することで、組立てが簡易で同一性を備えた品質を量産でき、且つボルト５は骨組み３の凸片３２１、３３１と螺合して大きな螺合面積を持たせることで組み合う強度を高めることができ、またデッキボード１または骨組み３の一部が破損した時、本考案はボルト５を外せばすぐに交換でき、且つボルト５を外す時にも凸片３２１、３３１の位置には完璧なネジ山が保たれて新しい部品に交換し易く、官位にメンテナンスが行える。
【００１９】
上述により、本考案が環境に優しく、品質の同一性を備え、製造とメンテナンスが簡易であり、優れた支持強度及び使用寿命を得られることを説明したが、本考案の補強材は射出成型で包覆する方式を採用してデッキボードとの結合成型をすることができ、且つ前述の実施形態は本考案の例を示すものであり、本考案を制限するものでは決してなく、本考案の精神に基づく等価の改変は本考案の範囲内に属するものとすべきである。
【符号の説明】
【００２０】
１  デッキボード、
１１  外部表面、
１２  内部表面、
１３  補強リブ、
１４  接合溝、
１４１  ツメ、
１５  組み付け溝、
１５１  ガード、
１５２  傾斜ブロック部、
１５３  狭持面、
１５４  目板、
１６  接合孔、
１６１  凹部、
１６２  排水孔、
１７  透水孔、
１８  排水溝、
１９  穿孔、
２  補強材、
３  骨組み、
３１  側板部、
３２  上板部、
３２１  凸片、
３２２  嵌槽、
３２３  凹溝、
３３  下板部、
３３１  凸片、
３３２  嵌槽、
３３３  凹溝、
４  滑り止め、
４１  凹部、
４２  透孔、
４３  透水孔、
５  ボルト、
５１  ボルト頭部、
６  タッピングボルト。
【図１】
0003202280.tif 000003
【図２】
0003202280.tif 000004
【図３】
0003202280.tif 000005
【図４】
0003202280.tif 000006
【図５】
0003202280.tif 000007
【図６】
0003202280.tif 000008